(57)【特許請求の範囲】
【請求項１】
電子機器へ入力情報を入力する入力手段と、 
前記電子機器から分離可能な部材の、前記電子機器への収納状態を検出する挿抜検出手段と、 
前記収納状態に基づいて表示データを生成し、前記表示データに基づいて前記入力情報を判別する制御手段と、 
前記表示データに従った表示を行う表示手段と、
テレビ放送受信用無線回路と、を
を備える電子機器であって、 
前記入力手段は、外部から接触された接触位置を検出し、位置信号を出力する接触検出手段を備え、 
前記制御手段は、
前記位置信号に基づいて前記接触位置を判断し、
前記接触位置に対応する前記表示データに基づいて前記入力情報を判別し、
前記収納状態が、前記部材が前記電子機器に収納されていない第１の状態であるとき、第１の形態のボタンを表示するための前記表示データを生成し、
前記収納状態が、前記部材が前記電子機器に収納されている第２の状態であるとき、前記第１の形態よりも面積が大きい第２の形態のボタンを表示するための前記表示データを生成し、
前記収納状態に対応して、予め前記収納状態に対応付けられたアプリケーションプログラムを起動し、
前記部材は、伸縮が可能であり、かつ、前記収納状態が前記第２の状態であるとき前記テレビ放送受信用無線回路に接続されるアンテナ素子を備え、
前記制御手段は、前記収納状態が前記第２の状態であり、かつ、前記部材が伸長状態である場合に、前記テレビ放送受信用無線回路を用いてテレビ放送の画面を表示するアプリケーションプログラムを起動し、前記収納状態が前記第２の状態にある前記部材が伸長状態から短縮状態となった場合に、前記テレビ放送の画面を表示するアプリケーションプログラムの起動状態を維持する、
ことを特徴とする電子機器。 
【請求項２】
前記テレビ放送受信用無線回路および前記テレビ放送の画面を表示するアプリケーションプログラムが動作中に、前記収納状態が前記第１の状態になったとき、所定の表示を行う、
ことを特徴とする請求項１に記載の電子機器。 
【請求項３】
電子機器へ入力情報を入力し、
前記電子機器から分離可能な部材の、前記電子機器への収納状態を検出し、
前記収納状態に基づいて表示データを生成し、
前記表示データに基づいて前記入力情報を判別し、
前記表示データに従った表示を行い、
前記入力情報の入力の際に外部から接触された接触位置を検出し、位置信号を出力し、
前記位置信号に基づいて前記接触位置を判断し、
前記接触位置に対応する前記表示データに基づいて前記入力情報を判別し、
前記収納状態が、前記部材が前記電子機器に収納されていない第１の状態であるとき、第１の形態のボタンを表示するための前記表示データを生成し、
前記収納状態が、前記部材が前記電子機器に収納されている第２の状態であるとき、前記第１の形態よりも面積が大きい第２の形態のボタンを表示するための前記表示データを生成し、
前記収納状態に対応して、予め前記収納状態に対応付けられたアプリケーションプログラムを起動する、
電子機器の制御方法であって、
前記部材は、前記収納状態が前記第２の状態であるときテレビ放送受信用無線回路に接続されるアンテナ素子を備え、
前記収納状態が前記第２の状態であり、かつ、前記部材が伸長状態である場合に、前記テレビ放送受信用無線回路を用いてテレビ放送の画面を表示するアプリケーションプログラムを起動し、
前記収納状態が前記第２の状態にある前記部材が伸長状態から短縮状態となった場合に、前記テレビ放送の画面を表示するアプリケーションプログラムの起動状態を維持する、
ことを特徴とする電子機器の制御方法。 
【請求項４】
電子機器のコンピュータに、 
電子機器へ入力情報を入力する手順、
前記電子機器から分離可能な部材の、前記電子機器への収納状態を検出する手順、
前記収納状態に基づいて表示データを生成する手順、
前記表示データに基づいて前記入力情報を判別する手順、
前記表示データに従った表示を行う手順、
前記入力情報の入力の際に外部から接触された接触位置を検出し、位置信号を出力する手順、
前記位置信号に基づいて前記接触位置を判断する手順、
前記接触位置に対応する前記表示データに基づいて前記入力情報を判別する手順、
前記収納状態が、前記部材が前記電子機器に収納されていない第１の状態であるとき、第１の形態のボタンを表示するための前記表示データを生成する手順、
前記収納状態が、前記部材が前記電子機器に収納されている第２の状態であるとき、前記第１の形態よりも面積が大きい第２の形態のボタンを表示するための前記表示データを生成する手順、
前記収納状態に対応して、予め前記収納状態に対応付けられたアプリケーションプログラムを起動する手順、
前記収納状態が前記第２の状態であり、かつ、前記部材が伸長状態である場合に、テレビ放送受信用無線回路を用いてテレビ放送の画面を表示するアプリケーションプログラムを起動する手順、
前記収納状態が前記第２の状態にある前記部材が伸長状態から短縮状態となった場合に、前記テレビ放送の画面を表示するアプリケーションプログラムの起動状態を維持する手順、
を実行させるための電子機器の制御プログラムを記録した記録媒体であって、
前記部材は、前記収納状態が前記第２の状態であるとき前記テレビ放送受信用無線回路に接続されるアンテナ素子を備える、
ことを特徴とする記録媒体。
【発明の詳細な説明】
【技術分野】
【０００１】
本発明は、所定の部材（入力ペン等）を用いたデータ入力が可能な電子機器、電子機器の制御方法および電子機器の制御プログラムの記憶媒体に関する。
【背景技術】
【０００２】
個人が携帯して利用するパーソナルデータ端末（Ｐｅｒｓｏｎａｌ  Ｄｉｇｉｔａｌ  Ａｓｓｉｓｔａｎｔ，以降「ＰＤＡ」という）には、表示画面部に入力用のペン（以下、「入力ペン」とする。）でデータ入力が可能なタッチパネルセンサを備えたものがある。入力ペンは、「スタイラスペン」と呼ばれることもあり、一般には細い棒状をしている。この構成を携帯電話に適用し、入力ペンで携帯電話に対する操作やデータ入力を可能とした携帯情報端末が知られている。【０００３】
図１３は、本発明に関連する携帯情報端末の内部ブロック図の一形態である。携帯情報端末２０１は、タッチパネルセンサ４と、液晶ディスプレイ（Ｌｉｑｕｉｄ  Ｃｒｙｓｔａｌ  Ｄｉｓｐｌａｙ、以下「ＬＣＤ」という。）６と、ＬＣＤ駆動部７と、ＬＣＤ表示処理部８と、システム処理部３１と、送受信アンテナ１３と、携帯電話用無線部１４と、音声インタフェース１７と、キー１６と、キー検出部１５とを備える。【０００４】
ＬＣＤ６は表示部であって、その表面には、タッチパネルセンサ４が貼り付けられている。ＬＣＤ駆動部７は、ＬＣＤ６を駆動して文字等を表示させる。ＬＣＤ表示処理部８は、ＬＣＤ６に表示する表示データを生成する。システム処理部３１は、携帯情報端末２０１の信号処理を行う。システム処理部３１は、携帯情報端末２０１全体の制御を行う中央処理装置（以下「ＣＰＵ」という。）３２と、プログラムやデータを格納するメモリ３３とを含んでいる。入力ペン１とタッチパネルセンサ４との間の破線は、これらが電気的には接続されていないことを示す。【０００５】
音声インタフェース１７は、携帯情報端末２０１を携帯電話として使用するための音声の入出力インタフェースである。外付けのイヤホン付きマイク（図示せず）は、音声を入力する。【０００６】
送受信アンテナ１３は、携帯情報端末２０１と無線ネットワークとを結ぶ無線信号を送受信する。携帯電話用無線部１４は、無線信号の変復調を行う。【０００７】
ユーザが、ＬＣＤ６に表示された文字または記号を入力ペン１の先端部分またはユーザ自身の指で押すと、タッチパネルセンサ４は、押された位置を出力する。システム処理部３１は、タッチパネルセンサ４が押された位置と、ＬＣＤ６の表示内容とから、ユーザが指し示した文字または機能を判断する。これにより、ＬＣＤ６を擬似的なキーパッド（以下、「擬似キーパッド」という。）として動作させることが可能になる。【０００８】
携帯情報端末２０１は、キー１６およびタッチパネルセンサ４のいずれからも操作またはデータ入力が可能である。キー検出部１５は、キー１６が押された内容をシステム処理部３１に転送する。システム処理部３１は、その内容に従い携帯情報端末２０１の制御を行う。【０００９】
タッチパネルセンサ４を用いた入力方法は、２種類の入力モードを有する。１つは、ユーザが入力ペン１を用いてデータを入力するモードであり、他の１つはユーザが指を用いてデータを入力するモードである。【００１０】
図１４ａは、本発明に関連する携帯情報端末における、ユーザが入力ペン１を用いる場合の入力モード（以下、「詳細入力モード」という。）の画面構成を示す例である。ＬＣＤ６は、入力エリア３５、文書表示エリア３６および文字編集エリア３７の３つの領域を表する。【００１１】
入力エリア３５において、ＬＣＤ６は、入力ペン１を用いて携帯情報端末２０１を操作するための入力画面を表示する。ユーザは、入力ペン１の細い先端でタッチパネルセンサ４を押して携帯情報端末２０１を操作するので、ＬＣＤ６が表示するボタンは、比較的面積の小さいものでよい。ボタンが小さくてよいので、画面にはローマ字アルファベットを全て表示することが可能である。ＬＣＤ６は、他に、記号や入力モードを切り替える「モード」ボタンや文字の編集のための「空白」「削除」などの機能を持つキーを表示する。【００１２】
文書表示エリア３６は、保存された文書や、受信した電子メールを表示する。また、文字編集エリア３７は、入力された文字やその漢字への変換結果等を表示する。【００１３】
なお、詳細入力モードにおいては、アルファベットを直接入力ペン１で押して入力できるので、後に述べる簡易入力モードと比べて迅速にデータが入力できる。【００１４】
一方、図１４ｂは、ユーザが入力ペン１を用いずに携帯情報端末２０１を操作する場合の表示モード（以下、「簡易入力モード」という。）を示す例である。【００１５】
簡易入力モードでは、ユーザは指の先でタッチパネルセンサ４を押して携帯情報端末２０１を操作する。【００１６】
簡易入力モードにおいても、ＬＣＤ６は、入力エリア３８、文書表示エリア３６および文字編集エリア３７の３つの領域を表示する。【００１７】
簡易入力モードにおいては、ユーザが、タッチパネルセンサ４を指で押すので、入力ペン１を用いた場合と比較して、指がタッチパネルセンサ４上を押す面積は広くなる。このため、簡易入力モードの入力エリア３８は、押し間違いが発生しにくいように、詳細入力モードと比べて面積が広いボタンを表示する。簡易入力モードでは、１個のボタンの面積が広いので、画面上に表示できるボタンの数は詳細入力モードと比較して少なくなる。【００１８】
簡易入力モードにおいては、ユーザは数字ボタンを複数回押すことによって、入力したい文字を選択する。たとえば、数字の“１”にアルファベットの“Ａ〜Ｃ”が割り当てられている場合、ユーザは、“１”を３回押下することにより“Ｃ”を入力する。この方式の場合、擬似キーパッドのタッチ数は、直接文字を入力する場合と比べて、平均して約３倍以上多くなる。【００１９】
以上のように、タッチパネルを備えた本発明に関連する携帯情報端末は、入力ペンによる入力または指による直接入力に対応した入力モードを備えていた。【００２０】
しかしながら、本発明に関連するタッチパネル付き携帯情報端末では、入力モードの選択は、情報の入力方法とは関係がない。そのため、ユーザが誤ったデータを入力する可能性があるという問題があった。その理由を以下に説明する。【００２１】
たとえば、ユーザが入力ペンを収納しているときは、ユーザは指でデータを入力する意志を持っていると考えられる。このような場合にも、画面が詳細入力モードとなっている可能性がある。詳細入力モードにおいては、ＬＣＤ６は、図１４ａに示したように、入力ペンで入力するために個々の文字や機能を小さいボタンや図形で表示している。このため、詳細入力モードにおいてユーザが指を使ってデータを入力しようとすると、ユーザが意図しないボタンに指が触れてしまうことがあった。また、ユーザが１つのボタンを押すつもりであっても、ユーザが隣接したボタンを同時に押してしまう恐れもあった。その結果、詳細入力モードにおいて、ユーザが指を用いて入力すると、ユーザが携帯情報端末２０１に誤ったデータを入力することがあった。このため、現在の入力モードが情報の入力方法に適したモードでない場合には、ユーザが携帯情報端末２０１を操作して入力モードを変更する必要があった。【００２２】
あるいは、データの入力の効率が低くなる場合があるという問題もあった。すなわち、ユーザが入力ペンを使用する意志を持っていても、画面の表示が図１４ｂに示した簡易入力モードとなっている場合がある。簡易入力モードの説明で述べたように、簡易入力モードにおいては、ユーザは多くのキータッチが必要な操作でデータを入力する必要がある。そのため、入力ペンを用いるにもかかわらず、入力モードが簡易入力モードであると、詳細入力モードと比較して、ユーザは入力により多くの時間を要する恐れがあった。【００２３】
上記の問題に関連する技術の例として、日本特開２００４−０３０１６０号公報記載の携帯情報端末がある。特許文献１は、入力ペンの収納状態を検出するためのスタイラス収納検出部と、入力ペンが収納されている場合には、表示・タブレット一体部からのデータ入力を無効にするデータ入力無効手段とを具備した携帯情報端末の構成を開示している。この公報に記載された携帯情報端末は、入力ペンが収納されている場合には、必要のない入力手段からのデータ入力を無効とすることにより、データの誤入力を防止している。
【発明の開示】
【発明が解決しようとする課題】
【００２４】
しかしながら、特許文献１に記載の携帯情報端末の誤入力防止のための動作は、入力ペンが収納されている際にはタブレットからの入力を全面的に無効としている。すなわち、特許文献１に記載の携帯情報端末においては、入力ペンを収納すると指を用いた入力も不可能となる。従って、入力モードの選択が情報の入力方法とは関係がないことによる、誤ったデータの入力や、データ入力の効率の低下という課題は、特許文献１に記載の技術によっては、解決することはできない。【００２５】
本発明の目的は、入力モードが情報の入力方法とは関係なく選択されることにより、ユーザが誤ったデータを入力したり、データの入力の効率が低下したりする場合があるという課題を解決するための電子機器、電子機器の制御方法および電子機器のプログラムを提供することにある。
【課題を解決するための手段】
【００２６】
本発明の電子機器は、電子機器へ入力情報を入力する入力手段と、電子機器から分離可能な部材の、電子機器への収納状態を検出する挿抜検出手段と、収納状態に基づいて表示データを生成し、表示データに基づいて入力情報を判別する制御手段と、表示データに従った表示を行う表示手段とを備える。【００２７】
また、本発明の電子機器の制御方法は、電子機器に入力情報を入力し、電子機器から分離可能な部材の収納状態を検出し、収納状態に基づいて表示データを生成し、表示データに基づいて入力情報を判別し、表示データ従った表示を行う。【００２８】
また、本発明の電子機器の制御プログラムの記憶媒体は、電子機器の制御ブログラムが記録された、電子機器で読み取り可能な記憶媒体であって、電子機器の制御プログラムは、前記電子機器を、入力情報を入力する入力手段と、電子機器から分離可能な部材の、電子機器への収納状態を検出する挿抜検出手段と、収納状態に基づいて表示データを生成し、表示データに基づいて入力情報を判別する制御手段と、表示データに従った表示を行う表示手段として機能させるための電子機器の制御プログラムであることを特徴とする。
【発明の効果】
【００２９】
本発明の電子機器は、誤ったデータの入力を抑制するとともに、ユーザが迅速に電子機器にデータを入力できるという効果を奏する。
【図面の簡単な説明】
【００３０】
【図１】図１は、本発明の電子機器に必須の要素のみによる構成を示すブロック図である。
【図２】図２は、本発明の第１の実施形態における携帯情報端末の内部ブロック図である。
【図３】図３は、本発明の第１の実施形態における携帯情報端末の外観図である。
【図４】図４は、本発明の第１の実施形態における携帯情報端末に用いられる入力ペンの外観図である。
【図５ａ】図５ａは、本発明の第１の実施形態における携帯情報端末の画面構成の例を示す図である。（詳細入力モード）
【図５ｂ】図５ｂは、本発明の第１の実施形態における携帯情報端末の画面構成の例を示す図である。（簡易入力モード）
【図５ｃ】図５ｃは、本発明の第１の実施形態における携帯情報端末の画面構成の例を示す図である。（詳細入力モード）
【図６】図６は、本発明の第１の実施形態における入力ペンの挿抜動作と、表示画面の連動動作の一形態を示すフローチャートである。
【図７】図７は、本発明の第２の実施形態における携帯情報端末の内部ブロック図である。
【図８ａ】図８ａは、本発明の第２の実施形態における携帯情報端末の外観図である。
【図８ｂ】図８ｂは、本発明の第２の実施形態における携帯情報端末の外観図である。
【図９ａ】図９ａは、本発明の第２の実施形態における携帯情報端末の入力ペン兼受信アンテナの外観図である。
【図９ｂ】図９ｂは、本発明の第２の実施形態における携帯情報端末の入力ペン兼受信アンテナの外観図である。
【図１０】図１０は、入力ペン兼受信アンテナの収納部の断面図である。
【図１１】図１１は、デジタルＴＶアプリケーションが起動した場合の携帯情報端末の画面構成例である。
【図１２】図１２は、本発明の第２の実施形態における携帯情報端末を用いてデジタルＴＶ放送を受信する際の動作の一形態を示すフローチャートである。
【図１３】図１３は、本発明に関連する携帯情報端末の内部ブロック図の一形態である。
【図１４ａ】図１４ａは、本発明に関連する携帯情報端末の画面構成の例である。（詳細入力モード）
【図１４ｂ】図１４ｂは、本発明に関連する携帯情報端末の画面構成の例である。（簡易入力モード）
【符号の説明】
【００３１】
１  入力ペン
４  タッチパネルセンサ
６  ＬＣＤ
１６  キー
１７  入力ペン兼受信アンテナ
１８  挿抜検出スイッチ
３５，３８，４１，４４，５４  入力エリア
３６，４２，５２  文書表示エリア
３７，４３，５３  文字編集エリア
４５  手書き入力エリア
５１  ＴＶ画面表示エリア
６０  収納部
６１  収納状態検出スイッチ
６２  延長状態検出スイッチ
６３，６４  押しボタン
１０１，１０２，２０１  携帯情報端末
【発明を実施するための最良の形態】
【００３２】
［第１の実施形態］【００３３】
第１の実施形態は、本発明の電子機器を携帯情報端末に適用したものである。図２は、第１の実施形態における、携帯情報端末の内部ブロック図を示す。携帯情報端末１０１は、挿抜検出スイッチ２と、挿抜検出部３と、タッチパネルセンサ４と、ＬＣＤ６と、ＬＣＤ駆動部７と、ＬＣＤ表示処理部８と、送受信アンテナ１３と、携帯電話用無線部１４と、システム処理部９と、音声インタフェース３０と、キー１６と、キー検出部１５とを備える。【００３４】
挿抜検出スイッチ２は、入力ペン１の収納状態を検出する。挿抜検出部３は、挿抜検出スイッチ２の状態から、入力ペン１の挿抜を判断する。タッチパネルセンサ４は、ユーザが使用する入力手段が接触した位置を、電気信号としてシステム処理部９に出力する。ＬＣＤ６は表示部と呼ばれることもある。ＬＣＤ６の上面には、タッチパネルセンサ４が貼り付けられている。タッチパネルセンサ４は、接触検出部と呼ばれることもある。ＬＣＤ駆動部７は、ＬＣＤ６を駆動して文字やボタンを表示させる。ＬＣＤ表示処理部８は、ＬＣＤ６の表示データを生成する。送受信アンテナ１３は、携帯情報端末１０１と無線ネットワークとを結ぶ無線信号を送受信する。携帯電話用無線部１４は、無線信号の変復調を行う。システム処理部９は、ＣＰＵ１０とプログラムおよびデータを格納するメモリ１１とを含んでいる。システム処理部９は、携帯電話信号処理を含めた携帯情報端末１０１全体の制御を行う。システム処理部９は、制御部と呼ばれることもある。キー１６は操作入力部である。キー検出部１５はキー１６の入力を検出する。【００３５】
ユーザは、入力ペン１をタッチパネルセンサ４に接触させることで、携帯情報端末１０１を操作したりデータを入力したりすることができる。【００３６】
携帯情報端末１０１は、メールの送受信が可能な携帯電話としての機能に加えてＰＤＡとしての機能をも備えている。携帯情報端末１０１は、入力ペン１が使用されないときは入力ペン１を収納する構造を備えている。なお、図２において、入力ペン１と、挿抜検出スイッチ２およびタッチパネルセンサ４とを結ぶ破線は、入力ペン１がこれらとは電気的には接続されていないことを示す。【００３７】
ＬＣＤ６は、文字及び記号を表すボタンを表示する表示部である。タッチパネルセンサ４は透明であるので、ユーザは、その背面に配されたＬＣＤ６が表示した記号やボタンを、タッチパネルセンサ４を通して視認することができる。ユーザが入力ペン１の先端部分またはユーザ自身の指で表示されたボタンを押すと、タッチパネルセンサ４は押された位置を検出し、位置情報としてシステム処理部９に出力する。システム処理部９は、タッチパネルセンサ４から入力された位置情報とＬＣＤ６の表示情報とから、ユーザが指し示したボタンを判断する。これにより、ＬＣＤ表示処理部８を擬似キーパッドとして動作させ、携帯情報端末１０１に機能を実行させたり文字を入力したりすることが可能になる。【００３８】
音声インタフェース３０は、携帯情報端末１０１を携帯電話として使用するための音声の入出力インタフェースである。外付けのイヤホン付きマイク（図示せず）は、音声インタフェースを用いて、音声を入出力する。【００３９】
システム処理部９は、入力されたデータの管理や画面表示の制御等の、携帯情報端末１０１全体の処理を行う。ＣＰＵ１０は、メモリ１１に格納されたプログラムに従い、システム処理部９を動作させる。【００４０】
図３は、本発明の第１の実施形態における携帯情報端末１０１の外観図である。タッチパネルセンサ４は、ＬＣＤ６の上に貼り付けられている。入力ペン１は携帯情報端末１０１の側面に収納される。ユーザは、入力ペン１を使用する際は入力ペン１を手前に引き出して使用する。入力ペン１の収納部の内部には、挿抜検出スイッチ２（図示せず）が備えられている。挿抜検出スイッチ２は、入力ペン１が収納されているか、取り外されているかにより導通状態が変化する。挿抜検出部３（図示せず）は、挿抜検出スイッチ２の導通状態により入力ペン１の収納状態を検出し、その情報をシステム処理部９に転送する。【００４１】
図４は、入力ペン１の外観図である。入力ペン１は、ペンの形をした細い棒状の入力機器である。【００４２】
図５ａ、図５ｂおよび図５ｃは、本発明の第１の実施形態における携帯情報端末の画面構成の例を示す図である。図５ａおよび図５ｃは、詳細入力モードの画面構成の例、図５ｂは、簡易入力モードの画面構成の例である。ＬＣＤ６は、携帯情報端末の画面を表示する。【００４３】
ＬＣＤ６が表示するボタンをユーザが入力ペン１または指で指し示すことで、キーボードを使用したキーパッドと同様な入力手段が実現できる。あるいは、ＬＣＤ６が表示する文字入力用の枠内に、ユーザは手書きで文字を入力することもできる。システム処理部９が入力された文字を認識することにより、手書きによる文字入力も実現できる。【００４４】
タッチパネルセンサ４を用いた入力方法は、２種類の入力モードを有する。１つは、ユーザが入力ペン１を用いてデータを入力する「詳細入力モード」であり、他の１つはユーザが指を用いてデータを入力する「簡易入力モード」である。【００４５】
ユーザは、入力モードにかかわらず、図３に示したキー１６およびタッチパネルセンサ４のいずれからも携帯情報端末１０１に対する操作またはデータ入力が可能である。キー検出部１５は押されたキー１６の情報をシステム処理部９に転送する。システム処理部９は、その情報により、携帯情報端末１０１を制御する。【００４６】
図５ａは、詳細入力モードにおける画面構成の一実施形態である。入力ペン１が携帯情報端末１０１から引き抜かれると、携帯情報端末１０１は自動的に詳細入力モードとなる。【００４７】
詳細入力モードでは、ＬＣＤ６は、入力エリア４１、文書表示エリア４２、文字編集エリア４３および手書き入力エリア４５の、４つの領域を表示する。【００４８】
入力エリア４１においては、ＬＣＤ６は、入力ペン１を用いて携帯情報端末１０１を操作するためのキー入力画面を表示する。詳細入力モードにおいては、ユーザは入力ペン１の先端でタッチパネルセンサ４を押して携帯情報端末１０１を操作するので、ＬＣＤ６が表示するボタンは、比較的面積の小さいものでよい。ボタンが小さくてよいため、画面にはローマ字アルファベットを全て表示することが可能である。ＬＣＤ６は、他に、記号ボタンや入力モードを切り替える「モード」ボタン、文字の編集のための「空白」「削除」などの機能を持つボタンを表示する。【００４９】
「モード」ボタンは、詳細入力モードと簡易入力モードとを切り替えるためのボタンである。このボタンを押すことで、ユーザは、携帯情報端末１０１の入力モードを強制的に異なる入力モードに切り替えることができる。すなわち、詳細入力モード時にユーザが「モード」ボタンを押すことで、ユーザは、携帯情報端末１０１の入力モードを簡易入力モードに変更することができる。逆に、簡易入力モード時にユーザが「モード」ボタンを押せば、ユーザは、携帯情報端末１０１の入力モードを詳細入力モードに変更することができる。【００５０】
ＬＣＤ６は、文書表示エリア４２に、保存された文書や、受信した電子メールの本文を表示する。また、ＬＣＤ６は、文字編集エリア４３に、入力された文字やその漢字への変換結果等を表示する。【００５１】
手書き入力エリア４５は、ユーザが入力ペン１で文字を手書きした内容を認識するための領域である。ユーザが手書き入力エリア４５に文字を手書きすると、タッチパネルセンサ４は手書きされた位置情報をデータ化し、システム処理部９に転送する。システム処理部９は、当該データに相当する文字を認識する。文字編集エリア４３は、認識された文字を表示する。【００５２】
詳細入力モードにおいては、アルファベットを直接入力ペン１で押して入力できるので、後に述べる簡易入力モードと比べて迅速にデータが入力できる。【００５３】
一方、図５ｂは、簡易入力モードにおける画面表示の一実施形態である。簡易入力モードにおいては、ＬＣＤ６は、入力エリア４４、文書表示エリア４２および文字編集エリア４３の３つの領域を表示する。簡易入力モードでは、ユーザは指の先でタッチパネルセンサ４を押して携帯情報端末１０１を操作する。ユーザがタッチパネルセンサ４を指で押す際には、ユーザは、入力ペン１を用いた場合と比較してタッチパネルセンサ４上で広い面積を押すことになる。このため、簡易入力モードにおいては、入力エリア４４は、押し間違いが発生しにくいように、詳細入力モードの場合と比べて、充分に大きい面積を有するボタンを表示する。簡易入力モードにおいては、入力エリア４４はボタンを大きく表示するので、視力の良くないユーザでも、携帯情報端末を容易に操作できる。【００５４】
簡易入力モードでは、１個のボタンの面積が広いため、画面上に表示が可能なボタンの数は詳細入力モードと比較して少なくなる。図６ｂの画面モードの例においては、入力エリア４４は、０〜９の数字、記号および「モード」「空白」「削除」などの機能を持つキーを表示している。【００５５】
図５ｃは、図５ａにおいて、画面の表示方向を右に９０度回転させ、タッチパネルセンサ４が、表示する擬似キーパッドを横方向に長く表示したものである。図５ａのように、縦長の表示部に、通常用いられる標準的なキー配置を備えた、いわゆるｑｗｅｒｔｙキーボードを表示しようとすると、ボタンの横幅が狭くなる場合がある。図５ｃの実施形態においては、入力ペンを取り外すことにより、画面表示が詳細入力モードに変化するとともに、擬似キーパッドの表示方向が自動的に９０度左に回転させられる。これにより、携帯情報端末１０１の画面上に通常のｑｗｅｒｔｙキーボードと同様の配列を、ゆとりを持って表示させることができる。このため、ユーザの入力作業がより容易となる。【００５６】
詳細モードにおける表示は、図５ａまたは図５ｃのいずれでもよい。画面の表示を図５ａの状態で用いるか、図５ｂの状態で用いるかをユーザが設定してもよい。あるいは、携帯情報端末が、ユーザが端末自身を保持する姿勢を検出し、検出された方向により図５ａまたは図５ｃのいずれかの表示に切り替えてもよい。なお、詳細入力モード時の画面の回転方向は、本実施形態では画面の表示方向を左に９０度としたが、右に９０度でもよい。
［第１の実施形態の動作］【００５７】
図６は、図２の携帯情報端末１０１における入力ペン１の挿抜動作と、表示画面の連動動作の一形態を示すフローチャートである。携帯情報端末は、内部に端末の機能及び状態に対応する変数を持ち、各変数は機能に応じて特定の値を保持する。【００５８】
図６を用いて、携帯情報端末の変数を用いた、携帯情報端末の動作を説明する。【００５９】
変数ＳｔｙｌｕｓＳｔａｔｕｓＮｏｗは、現在の入力ペン１の装着状態を表す数値を保持する（Ｓ１０１）。保持される値は、入力ペン１が携帯情報端末に収納されていれば“１”、抜き取られていれば“０”である。入力ペン１の装着状態が変化すると、変数ＳｔｙｌｕｓＳｔａｔｕｓＮｅｗが保持する数値が変化する（Ｓ１０２）。入力ペン１の装着状態が変化しない限り、変数ＳｔｙｌｕｓＳｔａｔｕｓＮｏｗと変数ＳｔｙｌｕｓＳｔａｔｕｓＮｅｗは同じ値を保持する。これら２種類の変数の値の組合せに応じて、変数ＩｎｐｕｔＭｏｄｅＣｈａｎｇｅＲｅｑは“０”、“１”、“２”のいずれかの値を取る（Ｓ１０３〜Ｓ１０９）。入力ペン１の装着状態に変化がない場合には変数ＩｎｐｕｔＭｏｄｅＣｈａｎｇｅＲｅｑの値は“０”となる（Ｓ１０６およびＳ１０９）。入力ペン１の装着状態が収納状態から抜き取り状態に変化した場合には変数ＩｎｐｕｔＭｏｄｅＣｈａｎｇｅＲｅｑの値は“１”となり（Ｓ１０７）、入力ペン１の装着状態が抜き取り状態から収納状態に変化した場合には変数ＩｎｐｕｔＭｏｄｅＣｈａｎｇｅＲｅｑの値は“２”となる（Ｓ１０８）。【００６０】
次に、携帯情報端末は、入力ペン１の状態とは独立に、ユーザ操作で入力モードの変更要求があったかどうかを判別する（Ｓ１１０〜Ｓ１１３）。入力モードの変更要求は、図５ａ〜図５ｃに示した画面において、ユーザが「モード」ボタンを押すことで行われる。詳細入力モードが要求されれば、変数ＩｎｐｕｔＭｏｄｅＣｈａｎｇｅＲｅｑの値は“１”となる（Ｓ１１２）。簡易入力モードの要求があれば、変数ＩｎｐｕｔＭｏｄｅＣｈａｎｇｅＲｅｑの値は“２”となる（Ｓ１１３）。それ以外の場合は変数ＩｎｐｕｔＭｏｄｅＣｈａｎｇｅＲｅｑの値は以前のままである。【００６１】
次に、この変数ＩｎｐｕｔＭｏｄｅＣｈａｎｇｅＲｅｑの値を判別し（Ｓ１１４）、変数ＩｎｐｕｔＭｏｄｅＣｈａｎｇｅＲｅｑの値が“１”のときは、入力モード画面が詳細入力モードに切り替えられる（Ｓ１１５）。変数ＩｎｐｕｔＭｏｄｅＣｈａｎｇｅＲｅｑの値が“２”のときは、簡易入力モードに切り替えられる（Ｓ１１６）。変数ＩｎｐｕｔＭｏｄｅＣｈａｎｇｅＲｅｑの値が“０”のとき、及びＳ１１５、Ｓ１１６の後、初期値が現状の値に変更され（変数ＳｔｙｌｕｓＳｔａｔｕｓＮｅｗの値を、変数ＳｔｙｌｕｓＳｔａｔｕｓＮｏｗの値とする）（Ｓ１１７）、フローは入力ペン１の収納状態変化の監視（Ｓ１０２）に戻る。【００６２】
このようにして、入力ペン１の装着状態の変化に応じて、入力モード画面が自動的に切り替わる。
［第１の実施形態の効果］【００６３】
以上説明したように、第１の実施形態においては、携帯情報端末は、入力ペンの収納状態を検出する機能を備え、その収納状態の検出結果に応じて、最適な入力画面を自動的に表示する。【００６４】
その結果、ユーザが入力ペンを使用する場合には、多数のキーを表示することで少ないキータッチにより迅速な入力が可能となるという効果がある。【００６５】
さらに、ユーザが指でデータを入力する場合には、大きいボタンを表示することでデータの誤入力が発生しにくくなるという効果がある。【００６６】
また、ユーザが望む場合は、入力ペンの収納状態にかかわらず、強制的に入力モードを変更することもできる。【００６７】
図１は、本発明の電子機器に必須の要素のみによる構成を示すブロック図である。図１のブロック図において、本発明の電子機器は、挿抜検出部３と、入力部２６と、表示部２５と、システム処理部９とを備える。【００６８】
ここで、挿抜検出部３は、電子機器から分離可能な部材の、電子機器への収納状態を検出する。入力部２６は、電子機器に入力情報を入力する。システム処理部９は、電子機器を制御する制御部である。システム処理部９は、入力部２６への入力内容と表示部２５に表示させている内容とから入力情報の内容を判別する。【００６９】
すなわち、図１に示す構成を備えた電子機器は、挿抜検出部３による部材の収納状態の検出結果に従って、システム処理部９がそれぞれに対応した表示データを生成し、表示部２５の表示を変化させる。そして、入力部２６への入力内容と表示部２５に表示させている内容とから入力情報の内容を判別する。その結果、図１に記載の電子機器も、入力モードが部材の収納状況と関係なく選択されることにより誤ったデータが入力されたり、データの入力の効率が低下したりする場合があるという課題を解決する。
［発明の第２の実施形態］【００７０】
本発明の第２の実施形態においては、ユーザが携帯情報端末本体から入力ペンを引き抜くと、あらかじめ設定したアプリケーションが自動的に立ち上がる。この構成により、ユーザが携帯情報端末を操作する回数を削減することができる。【００７１】
図７は、本発明の第２の実施形態における携帯情報端末の内部ブロック図である。【００７２】
携帯情報端末１０２は、第１の実施形態で示した携帯情報端末１０１と同様に、メールの送受信も可能な携帯電話としての機能に加えてＰＤＡとしての機能をも備えている。【００７３】
図７において、携帯情報端末１０２は、入力ペン兼受信アンテナ１７と、挿抜検出スイッチ１８と、挿抜検出部１９と、タッチパネルセンサ４と、ＬＣＤ６と、ＬＣＤ駆動部７と、ＬＣＤ表示処理部８と、デジタルテレビ用無線部２０と、デジタルテレビシステム処理部２１と、送受信アンテナ１３と、携帯電話用無線部１４と、システム処理部２２と、キー１６と、キー検出部１５とを備える。【００７４】
入力ペン兼受信アンテナ１７は、アンテナ素子を内蔵した、取り外し可能な入力ペンである。挿抜検出スイッチ１８は、入力ペン兼受信アンテナ１７の収納状態を検出する。挿抜検出部１９は、挿抜検出スイッチ１８の状態から、入力ペン兼受信アンテナ１７の挿抜を判断する。タッチパネルセンサ４は、入力ペン兼受信アンテナ１７により押された位置を識別する。ＬＣＤ６は表示部であり、タッチパネルセンサ４がその上面に貼り付けられている。ＬＣＤ駆動部７は、ＬＣＤ６を駆動して表示させる。デジタルテレビ用無線部２０は、入力ペン兼受信アンテナ１７で受信された無線信号を復調する。デジタルテレビシステム処理部２１は、システム処理部２２の指示に従いデジタルテレビ用無線部２０からの復調された信号を復号し動画像データに変換処理する。ＬＣＤ表示処理部８は、システム処理部２２及びデジタルテレビシステム処理部２１の出力信号からＬＣＤ駆動部７へ出力する表示データを生成する。送受信アンテナ１３は、携帯電話システムの無線信号を送受信する。携帯電話用無線部１４は、無線信号の変復調を行う。システム処理部２２は、ＣＰＵ２３と、プログラムやデータを格納するメモリ２４とを備え、携帯情報端末１０２の信号処理を行う。キー１６は、文字入力や携帯情報端末１０２の操作をするためのキーである。キー検出部１５は、キー１６の入力を検出する。音声インタフェース３０は、携帯情報端末１０２を携帯電話として使用するための音声の入出力インタフェースである。外付けのイヤホン付きマイク（図示せず）は、音声インタフェース３０を用いて音声を入出力する。【００７５】
携帯情報端末１０２は、デジタルＴＶの受信機能を備えている。入力ペン兼受信アンテナ１７は、入力ペンとしての機能に加えて、デジタルＴＶ放送を受信するアンテナとしての機能をも有している。入力ペン兼受信アンテナ１７は、携帯情報端末１０２に収納されたまま引き伸ばした状態（以下、「延長状態」という。）では、デジタルＴＶ放送の受信アンテナとして動作する。デジタルＴＶ用無線部２０は、入力ペン兼受信アンテナ１７で受信したデジタルＴＶ放送の電波を復調し、デジタルＴＶシステム処理部２１に出力する。デジタルＴＶシステム処理部２１は、システム処理部２２の指示に従い、指定されたチャンネルのデジタルＴＶ放送の画面データをＬＣＤ表示処理部８に入力する。ＬＣＤ駆動部７は、ＬＣＤ表示処理部８の出力データによりＬＣＤ６を駆動する。また、デジタルＴＶ放送の音声は、システム処理部２２を経由して音声インタフェース３０に出力される。この構成により、携帯情報端末１０２において、デジタルＴＶの視聴が可能になる。入力ペン兼受信アンテナ１７は、携帯情報端末１０２に収納された状態では、デジタルテレビ用無線部２０と電気的に接続されている。【００７６】
挿抜検出スイッチ１８は、入力ペン兼受信アンテナ１７が携帯情報端末１０２に収納されているかどうか、および、入力ペン兼受信アンテナ１７が携帯情報端末１０２に収納されたまま引き伸ばされているかどうかを検出する。【００７７】
図８ａおよび図８ｂは、本発明の第２の実施形態の携帯情報端末１０２の外観図である。図８ａに示すように、入力ペン兼受信アンテナ１７は、携帯情報端末１０２に収納される。ユーザが、入力ペン兼受信アンテナ１７を携帯情報端末１０２から引き抜くと、入力ペン兼受信アンテナ１７は、入力ペンとして利用できる。なお、携帯情報端末１０２を携帯電話として使用する際の送受信アンテナ１３は、筐体内部に内蔵されているため図示されていない。【００７８】
図８ｂは、入力ペン兼受信アンテナ１７を収納したまま延長することによって、デジタルＴＶ放送を受信する場合の外観図である。【００７９】
図９ａおよび図９ｂは、本発明の第２の実施形態の携帯情報端末１０２の入力ペン兼受信アンテナ１７の外観図である。入力ペン兼受信アンテナ１７は段階的に延長できる構造を有するアンテナである。図９ａに示す、入力ペン兼受信アンテナ１７を縮めた状態（以下、「短縮状態」という。）では、入力ペン兼受信アンテナ１７は、入力ペンとして動作する。入力ペン兼受信アンテナ１７は、延長状態においては中途で任意の方向に折り曲げることが可能な構造を有しており、ユーザは受信状態が最適になるように自由にアンテナの向きを変えることができる（図９ｂ）。【００８０】
図１０は、携帯情報端末１０２に設けられた、入力ペン兼受信アンテナ１７の収納部６０の断面図である。挿抜検出スイッチ１８は、収納状態検出スイッチ６１と延長状態検出スイッチ６２とを備える。収納状態検出スイッチ６１は、携帯情報端末１０２の収納部６０の内部の側面にあり、延長状態検出スイッチ６２は、収納部６０の底面にある。それぞれのスイッチは、収納部６０に向かって突出した押しボタン６３、６４が押されている間のみ短絡し、押圧がなくなると開放に復帰するモーメンタリ動作のスイッチである。なお、本図においては、入力ペン兼受信アンテナ１７の折り曲げ機構については図示していない。【００８１】
収納部６０に入力ペン兼受信アンテナ１７が収納されていない場合は、収納状態検出スイッチ６１と延長状態検出スイッチ６２とも、開放状態となる（図１０（ａ））。【００８２】
収納部６０に、ユーザが入力ペン兼受信アンテナ１７を短縮状態で収納すると、収納状態検出スイッチ６１と延長状態検出スイッチ６２とも押しボタン６３、６４が押下されるので、いずれのスイッチも短絡状態となる（図１０（ｂ））。【００８３】
収納された入力ペン兼受信アンテナ１７が延長状態となると、入力ペン兼受信アンテナ１７の中心部分がスライドして図１０（ｃ）の上方に移動し、アンテナ延長状態検出スイッチ６２の押しボタン６４が押下される前の位置に復元する（図１０（ｃ））。このため、延長状態検出スイッチ６２は開放状態のままであるが、収納状態検出スイッチ６１は短絡状態に変化する。【００８４】
従って、収納状態検出スイッチ６１と延長状態検出スイッチ６２の導通状態を知ることにより、挿抜検出部は、入力ペン兼受信アンテナ１７の収納状態を検出することができる。【００８５】
さらに、携帯情報端末１０２は、入力ペン兼受信アンテナ１７の収納状態に応じてあらかじめ設定したアプリケーションプログラムを起動させる機能を備える。携帯情報端末１０２においては、ユーザが入力ペン兼受信アンテナ１７を延長状態で収納すると、デジタルＴＶアプリケーションプログラムが起動する。【００８６】
図１１は、第２の実施形態の携帯情報端末１０２において、デジタルＴＶアプリケーションが起動した場合の画面構成例である。携帯情報端末１０２は、文書表示エリア５２，文字編集エリア５３、入力エリア５４に加えて、ＴＶ画面表示エリア５１を有している。また、ＬＣＤ６が表示するボタンには、チャンネル選択のための「ＣＨ」、音量調整のための「音量」といったボタンが設けられる。デジタルＴＶ放送を視聴する際には入力ペン兼受信アンテナ１７は携帯情報端末から取り外されていないので、画面は第１の実施形態で説明した図５ｂで説明した簡易入力モードに準じたものとなる。【００８７】
ユーザが入力ペン兼受信アンテナ１７を携帯情報端末１０２から取り外すと、入力モードは自動的に詳細入力モードとなる。また、ユーザが入力ペン兼受信アンテナ１７を取り外すと、メールアプリケーションが起動する。この際にはデジタルＴＶの視聴はできないため、画面構成はたとえば図５ａに準じたものとなる。
［第２の実施形態の動作］【００８８】
次に携帯情報端末１０２を用いてデジタルＴＶ放送を受信する際の動作の一形態について、図１２に示すフローチャートを使用して説明する。なお、第２の実施形態における、入力ペン兼受信アンテナ１７の着脱に連動して自動的に入力モードが切り替わる動作、および入力ペン兼受信アンテナ１７を用いて携帯情報端末１０２にデータを入力する動作の詳細は第１の実施形態と同様であるので説明は省略する。【００８９】
まず、初期値として、変数ＳｔｙｌｕｓＳｔａｔｕｓＮｏｗは現在の入力ペン兼受信アンテナ１７の装着状態を表す値を持つ（Ｓ３０１）。その値は、入力ペン兼受信アンテナ１７が収納されかつ電気的に接続されている状態は“１”、延長されかつ電気的に接続されている状態は“２”、抜き取られている状態（電気的に切断）は“０”である。また、変数ＴＶＯｐｅｎ、変数ＭａｉｌＯｐｅｎまたは変数ＴＶＡｌａｒｍの初期値は“０”である。【００９０】
入力ペンの装着状態が変化すると、変数ＳｔｙｌｕｓＳｔａｔｕｓＮｅｗが保持する数値も変化する（Ｓ３０２）。そして、変数ＳｔｙｌｕｓＳｔａｔｕｓＮｏｗおよび変数ＳｔｙｌｕｓＳｔａｔｕｓＮｅｗの値の組合せにより、変数ＴＶＯｐｅｎ、変数ＭａｉｌＯｐｅｎまたは変数ＴＶＡｌａｒｍの値が“１”となる（Ｓ３０３〜Ｓ３０８）。【００９１】
入力ペン兼受信アンテナ１７の装着状態が収納状態から延長状態に変化した場合には変数ＴＶＯｐｅｎが“１”（Ｓ３０６）、収納状態から抜き取り状態に変化した場合には変数ＭａｉｌＯｐｅｎが“１”（Ｓ３０７）、延長状態から抜き取り状態に変化した場合には変数ＴＶＡｌａｒｍおよび変数ＭａｉｌＯｐｅｎが“１”となる（Ｓ３０８）。それ以外の変化の場合には変数の値は変化しない。【００９２】
次に、入力ペン兼受信アンテナ１７の装着状態とは独立に、ユーザ操作によるアプリケーションプログラムの起動要求の有無が判別される（Ｓ３０９〜Ｓ３１２）。デジタルＴＶアプリケーションの起動要求がありかつ変数ＴＶＡｌａｒｍの値が“０”の場合には変数ＴＶＯｐｅｎの値が“１”となり（Ｓ３１２）、デジタルＴＶアプリケーションの起動要求がありかつ変数ＴＶＡｌａｒｍの値が“１”の場合には変数ＴＶＯｐｅｎの値は変化しない。【００９３】
メールアプリケーションプログラムの起動要求があると変数ＭａｉｌＯｐｅｎの値が“１”となる（Ｓ３１１）。それ以外の要求に対しては、値は変化しない。【００９４】
次にこれらの変数ＴＶＯｐｅｎ、ＭａｉｌＯｐｅｎ、ＴＶＡｌａｒｍの値に応じて、要求されたアプリケーションプログラム起動およびアラーム表示の要否が判断される（Ｓ３１３〜Ｓ３１８）。【００９５】
変数ＴＶＯｐｅｎの値が“１”の場合は、デジタルＴＶアプリケーションプログラムが自動的に起動する（Ｓ３１４）。【００９６】
変数ＴＶＡｌａｒｍの値が“１”であることは、入力ペン兼受信アンテナ１７が抜き取られていることを示す。これは、アンテナが携帯情報端末１０２から外れたことを意味するので、デジタルＴＶアプリケーションが起動しても、ユーザはデジタルＴＶ放送を視聴できない。このため、変数ＴＶＡｌａｒｍの値が“１”である場合は、携帯情報端末１０２は、デジタルＴＶアプリケーションプログラムを実行すると問題が発生することを示すアラームをＬＣＤ６に表示する（Ｓ３１６）。【００９７】
変数ＭａｉｌＯｐｅｎの値が“１”の場合は、メールアプリケーションプログラムが自動的に起動する（Ｓ３１８）。その後各変数の値が初期化され（Ｓ３１９）、手順は入力ペン兼受信アンテナ１７の状態監視に戻る。【００９８】
このようにして、入力ペン兼受信アンテナ１７の装着状態に応じて、メールアプリケーションやデジタルＴＶアプリケーション等のあらかじめ設定されていたアプリケーションプログラムが自動的に起動する。【００９９】
本実施形態では、デジタルＴＶアプリケーションプログラムとメールアプリケーションプログラムが、あらかじめ自動起動する対象として想定されている。しかし、自動起動するアプリケーションはこれらに限定されない。自動起動するアプリケーションは、携帯情報端末１０２の入力画面において、ユーザが指定してもよい。指定するアプリケーションを変更することにより、任意のアプリケーションを入力ペン兼受信アンテナ１７の収納状態に連動させて自動的に起動することが可能になる。たとえば、入力ペン兼受信アンテナ１７を抜去すると、入力ペン兼受信アンテナ１７を入力手段として使用するテキストエディタ、描画プログラムやゲームプログラムが起動するといった設定が可能である。
［第２の実施形態の効果］【０１００】
本発明の第２の実施形態は、第１の実施形態の効果に加え、さらに以下に記載するような効果がある。【０１０１】
第１の効果は、より容易にかつ早く、必要となる機能を携帯情報端末のユーザに提供でき、ユーザの利便性が向上することである。【０１０２】
その理由は、入力ペン兼受信アンテナ１７の収納状態を監視することにより、入力ペン兼受信アンテナ１７の引き抜き操作に連動して自動的にユーザの希望するアプリケーションプログラムの起動ができるからである。たとえば、入力ペン兼受信アンテナ１７を収納したまま延長することでデジタルＴＶを視聴するためのアプリケーションを起動させることができる。あるいは、入力ペン兼受信アンテナ１７を完全に携帯情報端末から引き抜くことでメールアプリケーションプログラムを起動させたりすることができる。【０１０３】
第２の効果は、ユーザによる携帯情報端末の誤操作を防止できることである。【０１０４】
その理由は、入力ペン兼受信アンテナ１７の状態を監視することにより、ユーザが間違って入力ペンを引き抜いたまま受信アンテナを利用したアプリケーションプログラムの起動をした場合にユーザに対して注意を喚起することができるからである。【０１０５】
第３の効果は、携帯情報端末の小型化薄型化に寄与することである。【０１０６】
その理由は、入力ペンと受信アンテナとを共通の部材で構成することにより、機能を犠牲にすることなく端末を小型化できるからである。【０１０７】
以上、実施形態を参照して本願発明を説明したが、本願発明は上記実施形態に限定されるものではない。本願発明の構成や詳細には、本願発明のスコープ内で当業者が理解し得る様々な変更をすることができる。【０１０８】
この出願は、２００７年１０月２６日に出願された日本特許出願２００７−２７８３２０を基礎とする優先権を主張し、その開示の全てを盛り込む。
【図１】
0005440174.tif 000002
【図２】
0005440174.tif 000003
【図３】
0005440174.tif 000004
【図４】
0005440174.tif 000005
【図５ａ】
0005440174.tif 000006
【図５ｂ】
0005440174.tif 000007
【図５ｃ】
0005440174.tif 000008
【図６】
0005440174.tif 000009
【図７】
0005440174.tif 000010
【図８ａ】
0005440174.tif 000011
【図８ｂ】
0005440174.tif 000012
【図９ａ】
0005440174.tif 000013
【図９ｂ】
0005440174.tif 000014
【図１０】
0005440174.tif 000015
【図１１】
0005440174.tif 000016
【図１２】
0005440174.tif 000017
【図１３】
0005440174.tif 000018
【図１４ａ】
0005440174.tif 000019
【図１４ｂ】
0005440174.tif 000020